(57)【特許請求の範囲】
【請求項１】
第１及び第２の対象物の少なくとも一方向の相互の位置及び移動を測定するための、且つ速度ｖで移動する第１対象物と、ｎを整数としたとき速度ｎ・ｖで移動する第２対象物との相互の位置を測定するための干渉計システムであって、全ての可能な相互の移動の方向の少なくとも一つについて、
・第１ビームスプリッタ、第１測定リフレクタ及び複数の第１リフレクタを具える、第１対象物に対応する第１干渉計ユニット、及び
・第２ビームスプリッタ、第２測定リフレクタ及び複数の第２リフレクタを具える、第２対象物に対応する第２干渉計ユニット
を具備する干渉計システムにおいて、
動作中、測定ビームが第１及び第２干渉計ユニットの両者を通過し、第１測定リフレクタ及び第２測定リフレクタの両者により少なくとも１回反射され、第１及び第２干渉計ユニットが共通の放射線感応性検出器を有し、且つ、測定ビームに対応する参照ビームが第１干渉計ユニットと第２干渉計ユニットとの間で測定ビームと同一の経路を通ることを特徴とし、且つ、
速度ｖで移動する第１対象物に対応する測定リフレクタによって測定ビームが反射される回数と、速度ｎ・ｖで移動する第２対象物に対応する測定リフレクタによって測定ビームが反射される回数との比が、ｎに等しいことを特徴とする干渉計システム。
【請求項２】
請求項１に記載の干渉計システムにおいて、第１対象物の回転又は傾斜の干渉計信号に対する影響を除去するため、第２干渉計ユニットが、ｍを２より大きい偶数としたとき、第１干渉計ユニットから来る測定ビームが第１干渉計ユニットに戻る前に第２干渉計ユニットでｍ＋１回反射されるように構成されることを特徴とする干渉計システム。
【請求項３】
マスクテーブル中に配置されたマスクホルダー、基板テーブル中に配置された基板ホルダー、及び、マスクテーブルと基板テーブルとの間に配置された投影システムを具える、ステップアンドスキャン原理に基づいて基板上にマスクパターンを複数写像する装置において、第１及び第２対象物を構成するマスク及び基板の相互の位置を測定するために請求項１又は２に記載の干渉計システムを具備することを特徴とする装置。
【請求項４】
マスクパターンが基板上に倍率Ｍで写像される請求項３に記載の装置において、測定ビームが基板に対応する測定リフレクタによって反射される回数と、測定ビームがマスクに対応する測定リフレクタによって反射される回数との比が、１／Ｍに等しいことを特徴とする装置。
【請求項５】
請求項３又は４に記載の装置において、基板に対応する測定リフレクタ及びマスクに対応する測定リフレクタが、それぞれ、基板ホルダー及びマスクホルダーの反射側表面によって構成されることを特徴とする装置。
【請求項６】
請求項３、４又は５に記載の装置において、干渉計システムが一つのロケーションにおける投影システムの位置を測定するための投影システム干渉計ユニットを具え、投影システムが前記ロケーションにおける付加測定リフレクタを具えることを特徴とする装置。
【請求項７】
請求項６に記載の装置において、前記参照ビームが投影システム干渉計ユニットを通ることを特徴とする装置。
【請求項８】
請求項３、４又は５に記載の装置において、投影システムが、他の二つの測定リフレクタをマスクホルダーに近いロケーション及び基板ホルダーに近いロケーションにそれぞれ具え、前記参照ビームが両測定リフレクタによって反射されることを特徴とする装置。
【発明の詳細な説明】
本発明は、第１及び第２の対象物の少なくとも一方向の相互の位置及び移動を測定するための干渉計システムであって、全ての可能な相互の移動の方向の少なくとも一つについて、
・第１ビームスプリッタ、第１測定リフレクタ及び複数の第１リフレクタを具える、第１対象物に対応する第１干渉計ユニット、及び
・第２ビームスプリッタ、第２測定リフレクタ及び複数の第２リフレクタを具える、第２対象物に対応する第２干渉計ユニット
を具備する干渉計システムに関する。
本発明は更に、ステップアンドスキャン原理に基づいて基板上にマスクパターンを投影するためのリソグラフ装置に関する。
このような装置は、ステップアンドスキャン装置として知られ、とりわけ集積回路即ちＩＣの製造に用いられるが、とりわけ米国特許第5,194,893号から既知である。
ＩＣ中の電子部品の数を増すための要求により、線幅を含む細部構造が、基板上に、ＩＣ領域又は「ダイ」とも呼ばれる、ＩＣが形成される各領域に投影装置によって写像される必要がある。更に、この方法でＩＣ毎の部品数を増すことができるように、ＩＣ領域を拡大することが望ましい。投影レンズシステムについては、これは、解像力従ってその開口数を上げること及び映像視野を増すことを意味する。
これまで、これら投影レンズシステムについて二つの相反する要求の間の最適解を見出すことは、多くの困難と高額の出費を伴って始めて可能であった。例えば、ウェハステッパーとして知られるステッピング装置については、６４メガビット型のＩＣの製造のために、開口数０．６で映像視野２２mmを持つ投影レンズシステムが製作された。この投影レンズシステムにより、基板上に０．３５μmの幅の線を写像することができる。これにより、実質的に、製作することができ且つ扱い難くない投影レンズシステムの限界が極められた。たとえ更に微細な構造が写像される必要があるとしても、即ち基板上に更に狭い幅の線が形成されるべきであるとしても、換言すれば、投影レンズシステムに更に大きい開口数が与えられるべきであるとしても、これは映像視野サイズの犠牲によってのみ可能であろう。
このジレンマから抜け出す一つの方法は、ステッピング投影装置から米国特許第5,194,893号に記載されているようなステップアンドスキャン装置に替えることである。ステッピング投影装置においては、基板上の一ＩＣ領域に、１回でマスクパターン全体が露光され、写像される。続いて一つのステップ、即ち、基板が、第２のＩＣ領域がマスクパターンに対向する位置にあり投影レンズシステムの映像視野内に来る状態まで、投影レンズシステム及びマスクパターンに対して移動され、その領域にマスクパターンの第２の像が形成されるステップが行われる。続いて第３のＩＣ領域に再び写像され、次に第４というように、全てのＩＣ領域にマスクパターンの像が形成されてしまうまで一つのステップが行われる。ステップアンドスキャン装置においては、同一のステッピング移動が遂行されるが、毎回マスクパターンの一部分のみが基板上の対応する部分領域上に写像される。マスクパターンの連続部分をＩＣ領域の連続する部分領域上に写像することにより、一つのＩＣ領域上にマスクパターン全体の写像が得られる。このためマスクパターンは、マスクパターンの領域において、例えば長方形又はアーチ形の断面の小さい断面積を持つ投影ビームで露光され、マスクテーブルと基板テーブルとは、走査方向において、投影レンズシステム及び投影ビームに対して逆方向に移動される。基板テーブルの移動速度はマスクテーブルのそれのＭ倍である。Ｍはマスクパターンが写像される際の倍率である。Ｍの現在の通常の値は１／４であるが、これに代えて例えば１のような他の値を用いることもできる。
投影ビームの断面積は走査方向に直交する方向には大きさの限界を持つ。この大きさはマスクパターンの幅に等しく、そのためこのパターンは一つの走査動作で写像される。しかしながら、これに代えて前記の大きさがマスクパターンのそれの半分であってもよいし、それより小さくてもよい。この場合は、マスクパターン全体が２又はそれ以上の逆方向の走査動作によって写像される。従って、マスク及び基板の移動が極めて正確に同期することが保証されなければならない。即ち、マスクの速度ｖが常に基板の速度のＭ倍に等しくなければならない。
マスクパターンが基板上のＩＣ領域に関して正確に位置合わせされており、投影レンズシステムが基板上に正確に焦点合わせされなければならず、ステッピング基板テーブルが正確に検査されなければならないステッピング投影装置と比較すると、ステップアンドスキャン装置においては、これらに加えて、速度の状態が測定されなければならない。換言すれば、基板及びマスクパターンの走査写像の間は、基板とマスクパターンとが相互に静止の状態にあるか否かである。従って、この測定に基づいて、一つのテーブルの速度を他のそれに適合させることができる。
米国特許第5,194,893号に開示されているような投影装置においては、速度の条件をチェックするために二つの干渉計システムが用いられる。第１干渉計システムの測定リフレクタが基板テーブルに対して用いられ、これにより、以後Ｘと称する走査方向への基板テーブルの移動を、このシステムで測定することができる。第２干渉計システムの測定リフレクタがマスクテーブルに対して用いられ、これにより、走査方向へのこのテーブルの移動を、このシステムで測定することができる。二つの干渉計システムからの出力信号が例えばマイクロコンピュータのような電子処理ユニットに印加され、ここでこの信号が相互から減算され、処理されて各テーブルのためのアクチュエータ又は駆動デバイスに対する制御信号になる。
装置を通る基板の供給速度を大きくするための必要から、テーブルの速度が高速であるため、干渉計信号は高い周波数又はビットレートを有する。これらの高周波信号を比較する時は、処理エレクトロニクスの速度が制限要素になる。従って、遅延時間、即ち測定が遂行された時点と測定結果が利用可能になる時点との間の経過時間が大きな役割を果たす。測定システム及びテーブルに対するアクチュエータ又は駆動装置を含む閉じたサーボループにおいては、電子的信号処理における遅延時間差が、マスクテーブルと基板テーブルとの間の好ましくないオフセットを引き起こす。更に、従って、これらのテーブルが最大限界の速度を持つことになる。
本発明は、上述の問題点を除去した、ステップアンドスキャン装置のための新しい測定概念を提供する。この新しい測定概念は、個別に又は組合せて用いることができるいくつかの観点を有する。
本発明の第１の観点によれば、干渉計システムは、動作中、測定ビームが第１及び第２干渉計ユニットの両者を通過し、第１測定リフレクタ及び第２測定リフレクタの両者により少なくとも１回反射され、第１及び第２干渉計ユニットが共通の放射線感応性検出器を有し、且つ、測定ビームに対応する参照ビームが第１干渉計ユニットと第２干渉計ユニットとの間で測定ビームと同一の経路を通ることを特徴とする。
二つのテーブルの位置信号は、ここではもはや電子的には比較されず、又は相互に減算されず、干渉計システム自体の中で光学的に比較される。制御されるシステム即ち閉じたサーボループについて、干渉計信号の周波数が常にテーブルの速度とは無関係であり、この速度はもはや制限要素にはなり得ない。
第１及び第２測定リフレクタ並びに第１及び第２ビームスプリッタを持つ干渉計システムが日本特許出願3-199,905号の英語要約文に記載されており、ここでは第１及び第２ビームスプリッタを通る測定ビームが用いられることに注意すべきである。しかしながら、この既知のシステムにおいては、測定ビームはただ一つの測定ミラーのみによって反射され、一方他の測定ミラーは参照ビームを反射する。更に、この既知のシステムは、二つの対象物の相互の一方向の移動を測定するためには用いられず、Ｙテーブルに対するＸテーブルの相対的移動を測定するために用いられる。
リソグラフ装置に用いるために極めて適した差分干渉計システムの実施例においてはマスクパターンが縮小されたサイズで写像され、更に、測定ビームが第１対象物に対応する測定リフレクタによって反射される回数と、測定ビームが第２対象物に対応する測定リフレクタによって反射される回数との比が、第２対象物の速度と第１対象物の速度との比に等しいことを特徴とする。
この干渉計システムは、更に、第２干渉計ユニットが、ｍを２より大きい偶数としたとき、第１干渉計ユニットから来る測定ビームが第１干渉計ユニットに戻る前に第２干渉計ユニットでｍ＋１回反射されるように構成されることが望ましい。
この測定は、第１対象物の傾斜又は回転が干渉計信号に影響を与えるのを防止する。
本発明は、更に、マスクテーブル中に配置されたマスクホルダー、基板テーブル中に配置された基板ホルダー、及び、マスクテーブルと基板テーブルとの間に配置された投影システムを具える、ステップアンドスキャン原理に基づいて多数回基板上にマスクパターンを写像する装置に関する。この装置は、第１及び第２対象物を構成するマスク及び基板の相互の位置を測定するために前述の干渉計システムを具備することを特徴とする。
本発明の用途はステップアンドスキャン投影装置に限られるものではない。一般的に、二つの物体が相互に関して高速且つ高精度で移動しなければならない環境及び装置に用いられる。
この投影装置において倍率Ｍを持つマスクが基板上に写像される場合、更に、測定ビームが基板に対応する測定リフレクタによって反射される回数と測定ビームがマスクに対応する測定リフレクタによって反射される回数との比が、１／Ｍに等しいことを特徴とする。
本発明の他の観点によれば、この装置は、更に、基板に対応する測定リフレクタ及びマスクに対応する測定リフレクタが、それぞれ、基板ホルダー及びマスクホルダーの反射側表面によって構成されることを特徴とする。
反射側表面とは、この表面自体が反射能を持つこと又はこの表面に反射体が固着されていることを意味する。
測定リフレクタは基板及びマスクに強固に結合され、既知の装置では考慮外に置かれた移動並びに基板テーブル要素相互の相対的な移動及びマスクテーブル要素相互の相対的な移動から生じる移動を含む、これらの要素自体の移動が直接に従って信頼性よく測定される。
基板の線形移動、回転及び傾斜を測定するように構成される干渉計システムについて、以下では基板干渉計と称することとし、リソグラフ投影装置に組込む方法については、それぞれ２軸干渉計システム及び３軸干渉計システムを記載している米国特許第4,251,160号及び第4,737,283号を引用する。基板干渉計システムの他の例は、欧州特許出願第0 498 499号に記載されている。
本発明による装置は、更に、干渉計システムが、一つのロケーションにおける投影システムの位置を測定するための投影システム干渉計ユニットを具え、投影システムが、前記ロケーションにおける付加測定リフレクタを具えることが望ましい。
投影システムの位置は、従って、このシステムの可能性のある傾斜と無関係に測定することができる。
この装置の更に他の好ましい実施例においては、投影システムが、他の二つの測定リフレクタをマスクホルダーに近いロケーション及び基板ホルダーに近いロケーションにそれぞれ具え、前記参照ビームが両測定リフレクタによって反射されることを特徴とする。
以下に説明される実施例を参照することにより、本発明のこれら及び他の観点が明らかになり且つ解明される。
図面において、
図１及び２は、倍率Ｍ＝１／４の装置についての本発明による干渉計システムの二つの実施例を示す図、
図３及び４は、倍率Ｍ＝１の装置についての本発明による干渉計システムの二つの実施例を示す図、
図５は、既知の装置と本発明の装置との間の干渉計測定の違いを示す図、
図６は、マスク及び基板が装置の中で位置合わせされた後の相互の位置を示す図、
図７は、図２に示された実施例の変形を示す図、
図８及び９は、基板ホルダーの傾斜を測定するための特別な干渉計の実施例を示す図、
図１０は、投影レンズの点であって、像をオフセットすることなしにその点の周りにレンズを傾けることができる点の計算を示す図、
図１１は、投影レンズの位置を個別に測定する機能を有する干渉計システムを示す図、
図１２は、１点における投影レンズの位置の測定が組込まれた差分干渉計システムを示す図、
図１３は、２点における投影レンズの位置の測定が組込まれた差分干渉計システムを示す図、
図１４は、基板ホルダーの回転における測定ビームと参照ビームとの相互のオフセットを示す図、
図１５及び１６は、このオフセットの影響を除去するために、マスク干渉計の近くに配置することができる特別なリフレクタユニットを示す図、
図１７は、基板ホルダーの回転又は傾斜の影響を除去した、投影レンズ位置測定を含む差分干渉計システムの実施例を示す図、
図１８は、この実施例に用いるためのマスク干渉計サブシステムを示す図、
図１９は、基板ホルダーの回転又は傾斜の影響を除去した差分干渉計システムの実施例を示す図、
図２０−２２は、図１９の実施例で用いるためのマスク干渉計サブシステムの他の実施例を示す図、
図２３及び２４は、基板ホルダーの回転又は傾斜の影響を除去した差分干渉計システムの他の二つの実施例を示す図、
図２５は、オフセット補償を使用する場合及び使用しない場合の、干渉計信号に対する基板ホルダーの回転又は傾斜の影響を示す図、及び
図２６ａ、２６ｂ及び２６ｃは、基板ホルダーの回転又は傾斜に起因するビームオフセットを補償した単一干渉計システムを示す図である。
図１は、１／４に縮小したサイズ即ち倍率Ｍ＝１／４でマスクパターンが写像される投影装置に用いるための本発明による干渉計システムの第１の実施例を示す。投影装置についてのこの図及び他の図は、差分干渉計システムが協働する要素、即ち、リフレクタＲＭを具えたマスクホルダーＭＨ及びリフレクタＲＷを具えた基板ホルダーＷＨのみを示す。放射線源（図示されていない）によって放射される測定ビームｂm及び参照ビームｂrが、それぞれ実線及び破線で示されている。これらのビームは、例えば、ゼーマンレーザーによって放射される放射線ビームの異なる周波数を有する二つの相互に直交する偏光成分であり、これにより、測定は位相測定に基礎をおく。測定ビーム及び参照ビームの方向は矢印で示されている。
リフレクタＲＷを具える基板ホルダーＷＨの部分において、図１に示された実施例は、偏光感応性ビームスプリッタ１、四分の一波長（λ／４）板２及び二つの後方リフレクタ３及び４を具える。更に、リフレクタＲＭを具えたマスクホルダーＭＨの位置には、偏光感応性ビームスプリッタ５、λ／４板８及び二つの後方リフレクタ６及び７が存在する。更に、静止リフレクタＭＩが本来の箇所に存在する。ビームスプリッタ１及び５は、線源からのビームの偏光の第１の方向を持つ第１成分及び第１の偏光方向に直交する第２の偏光方向を持つ第２成分を通し、反射し、又は逆にする、偏光感応性界面９及び10を有する。図示された実施例においては、通過するビーム成分は参照ビームｂrであり、反射される成分は測定ビームｂmである。ビーム成分の偏光方向に対して４５°の角度の偏光方向を持つ四分の一波長板２及び８は、ビーム成分がこの板を２回通過すると、ビーム成分の偏光の方向を確実に９０°回転させる。
界面９によって送られた測定ビームｂmはλ／４板２を通り抜け、位置Ｐ1でリフレクタＲＷ上に入射する。反射したビームはλ／４板を再度通り抜けることにより偏光方向が元の方向に対して９０°回転し、次に後方リフレクタ３の方向に進む。このリフレクタの傾斜面における反射を経て、測定ビームは再びビームスプリッタ１に入り、次にこのビームスプリッタを通り、位置Ｐ2でリフレクタＲＷ上に再度入射するように進む。位置Ｐ2から出発した測定ビームは、界面９で、マスクホルダーの近くに位置するビームスプリッタ５の界面10に向けて反射する。続いて、この測定ビームは界面10で反射し、λ／４板８を通ってマスクホルダーリフレクタＲＭに達し、ここで、測定ビームは位置Ｐ3に入射する。リフレクタＲＭで反射した測定ビームは、λ／４板を再度通り抜け、これによりその偏光方向が再度９０°回転し、界面を通って後方リフレクタ６に達する。このリフレクタの傾斜側での反射及び界面10とλ／４板８との通過を経て、このビームはリフレクタＭＩの位置Ｐ4に到達する。リフレクタＭＩで反射したビームは再びλ／４板８を通り抜け、これにより、その偏光方向が再度９０°回転し、このため、このビームは界面10で界面９の方向に反射する。次に、測定ビームは再び基板リフレクタＲＷに到達し、位置Ｐ1及びＰ2について上述したと類似して位置Ｐ5及びＰ6に連続的に入射し反射する。位置Ｐ6で反射したビームは、界面９で反射し、干渉計システムから検出器（図示されていない）に到達する。
界面９を通過する参照ビームｂrは、リフレクタＲＷ、ＲＭ及びＭＩをバイパスして同様にシステム全体を通り抜ける。このビームは、後方リフレクタ４及び７の反射面でのみ反射し、通常は、ビームスプリッタ１及び５の界面９及び10を通過する。相互に直交する方向の偏光ビームｂm及びｂrは、システムから現れてその途中にあるアナライザー（図示されていない）を経て検出器に到達する。このアナライザーは、ビームの偏光方向に対して４５°の角度の偏光方向を持っており、このビームの相互に干渉することができる二つの成分を通す。これらのビーム成分の間の位相差は、ミラーＲＭ及びＲＷの相互位置即ちミラーが更に従ってマスク及び基板が倍率Ｍを考慮に入れながら同期して移動する範囲に依存する。リソグラフ装置においては、図１には図示されていない投影レンズシステムが、マスクホルダーＭＨと基板ホルダーＷＨとの間に配置される。図１に示された干渉計システムの実施例においては、測定ビームが基板リフレクタ上で４回反射し、且つマスクリフレクタ上で１回反射するので、この投影レンズシステムは１／４の倍率Ｍを持つ。
図２は、倍率Ｍ＝１／４を持つ投影装置に用いるための差分干渉計システムの第２の実施例を示す。この実施例は、二つのリフレクタ15及び16が追加されている点、第１ビームスプリッタ１に対応する第１リフレクタ３が除外されている点及び図１の第２ビームスプリッタの二つの後方リフレクタ６及び７が後方リフレクタ18及び19で置き換えられている点で、図１のそれと異なる。この実施例においては、左側から入射する測定ビームｂmは、先ずビームスプリッタ１及びλ／４板２を経て、基板リフレクタＲＷの位置Ｐ1及びＰ2で２回反射する。リフレクタ15及び16は、位置Ｐ2で反射した測定ビームを静止リフレクタＭＩの方向に反射する。このリフレクタの位置Ｐ3で反射した測定ビームは、界面10で後方リフレクタ19の方向に反射する。測定ビームは、リフレクタ19の傾斜面での反射を経て界面10に戻り、ここでマスクリフレクタＲＭの位置Ｐ4に反射する。このリフレクタからの測定ビームはリフレクタ16及び15上で反射して、基板リフレクタＲＷ上の位置Ｐ5に到る。そこで、測定ビームは再び反射し、続いてこのビームは再度界面９、後方リフレクタ14の二つの傾斜面及び再び界面９で連続的に反射して、基板リフレクタＲＷ上の位置Ｐ6に到る。そこで反射した測定ビームｂ’は、λ／４板２及びビームスプリッタ１を経て検出器（図示されていない）に到達する。
参照ビームｂrは、界面９、後方リフレクタ４の二つの傾斜面、界面９、リフレクタ15及び16、界面10、リフレクタ18の二つの傾斜面、リフレクタ16及び15、界面９、リフレクタ４の二つの傾斜面、及び界面９上での連続的な反射によりシステムを通過して、ビームｂ’として、最後に測定ビームｂ’と同一の検出器に到達する。参照ビームｂは従って全てのリフレクタＲＷ、ＲＭ及びＭＩをバイパスする。
図３は、倍率Ｍ＝１を持つ投影装置に用いるための差分干渉計システムの実施例を示す。この実施例においては、リフレクタＭＩが存在しないこと以外は図１のそれと同様であり、測定ビームｂmは最初に基板リフレクタＲＷの位置Ｐ1及びＰ2で２回連続的に反射する。この測定ビームは、位置Ｐ2から界面９及び10を経てマスクリフレクタＲＭの位置Ｐ3に到達しそこで反射する。反射した測定ビームは続いて後方リフレクタ６の傾斜面での反射の後、マスクリフレクタＲＭの位置Ｐ4に到達し、ここで再び反射して界面10に到る。測定ビームはこの界面で反射し、測定ビームｂ'mが検出器（図示されていない）に到達する。
参照ビームｂrは、ビームスプリッタ１及び５の界面９及び10を通過し、後方リフレクタ４及び７の傾斜面でのみ反射する。このビームは、リフレクタＲＷ及びＲＭの一つをバイパスする。
図４は、倍率Ｍ＝１を持つ投影装置に用いるための差分干渉計システムの第２の実施例を示す。この実施例は、第１ビームスプリッタ１の下に追加のλ／４板20が配置されている点及び後方リフレクタ３が除去されている点で図３に示されたそれと異なる。測定ビームｂmは左側から入り、最初に基板ミラーＲＷの位置Ｐ1で反射する。次に、測定ビームは、界面９及び10での反射を経てマスクリフレクタＲＭの位置Ｐ2に到達する。このリフレクタで反射した測定ビームは、後方リフレクタ６の傾斜面によりマスクリフレクタＲＭの位置Ｐ3に反射される。界面10及び９での反射を経て、測定ビームは基板リフレクタＲＷに戻り、そこでビームｂ'mとして位置Ｐ4で検出器（図示されていない）の方向に反射する。
λ／４板20は参照ビームｂrの経路にのみ配置され、最初に界面９で反射したこのビームが、後方リフレクタ４の傾斜面での反射の後、界面９及び10によって確実に後方リフレクタ７の方向に向かうようにする。このリフレクタの二つの傾斜面での反射を経て、参照ビームは後方リフレクタ４に戻る。界面９は最後に、このリフレクタから来た参照ビームをビームｂ'rとして、測定ビームｂ’を同様に受信する検出器に送る。
本発明による差分干渉計システムは、倍率Ｍ＝１／４又はＭ＝１を持つステップアンドスキャン投影装置にのみ用いられるのではなく、例えば倍率Ｍ＝１／２を持つような装置にも用いられる。この目的に合った差分干渉計システムは、静止リフレクタＭＩの位置が異なることを除いて、図１及び２に示されたと同様の構成を持つことができる。一般的に、差分干渉計システムは、倍率Ｍを持つ投影装置に用いることができ、この場合、このシステムは、測定ビームについての光学的経路の全長が変化せず、且つ測定ビームが基板リフレクタによって反射される回数と測定ビームがマスクリフレクタによって反射される回数との比が１／Ｍになるように構成される。更に、後者の条件が満足されない場合、基板リフレクタ及びマスクリフレクタの両者で測定ビームを反射するという新規なアイデアを用いると、干渉計信号のビットレートを既知のシステムに対してかなり減らすことができる。本発明による干渉計システムにおいては、測定ビーム及び参照ビームが可能な限り同一の経路を通ることが重要である。リソグラフ投影装置のような装置では基板ホルダーとマスクホルダーとの距離が大きい場合があるので、これは、更に重要である。
図１−４においては、リソグラフ投影装置の基板ホルダーＷＨ及びマスクホルダーＭＨのみが図示されている。前述の米国特許第5,194,893号に記載されているように、これらのホルダーの間には投影レンズシステムが配置される。更に、基板ホルダー及びマスクホルダーは、それぞれ基板テーブル（ステージ）及びマスクテーブルの一部を形成し、それらを具えることにより、基板及びマスクを相互に移動し位置決めすることができる。それらの動作は、干渉計システムの制御の下に遂行される。更に一般的なステップアンドスキャン装置においては、マスク及び基板の位置が装置の基準に対して測定される。しかしながら、装置における振動及び他の不安定性が、基板及びマスクの位置の決定に悪影響を及ぼす。精密な走査動作のためにはマスクと基板との相互位置が最も重要なファクターであるので、前述の米国特許第5,194,893号で提案されているように、この相互位置を直接測定することが望ましい。既に前述したように、投影レンズシステムの倍率のみではなく、このシステムのＺ位置、即ち装置の座標系のＺ軸に沿った位置をも考慮に入れる必要がある。従って、図１−４では水平線によって表される走査方向は、例えばこの座標系のＸ方向である。
マスク及び基板は、例えば１０nmのオーダーの精度でＸ及びＹ方向に相互に位置合わせされ、それが維持されなければならない。
始め又は全体のＸ及びＹの位置合わせについて、装置は、例えば、米国特許第4,251,160号に記載されているような、特別なマスク位置合わせマークを特別な基板位置合わせマークに合わせる、別個の位置合わせシステムを具えている。Ｚ方向においては、マスク及び基板の両者が投影レンズシステムに対して正確に位置決めされなければならない。投影レンズシステムに対する基板のＺ位置は、例えば米国特許第5,191,200号に記載されているような、焦点合わせ及び上下移動システムによって精密に調整することができる。マスクのＺ位置のエラーは、先ず倍率エラーを引き起こす。これらのエラーを防ぐためには、マスクと投影レンズシステムとの距離を、例えば１μmの精度に調整しこれを維持しなければならない。これは、マスクと投影レンズシステムとの間の補償空気ベアリングによって実現することができる。
次に、マスクと基板との相互のＸ及びＹ位置が同様に測定される。更に、欧州特許出願第0 498 499号に記載されているように、アッベ誤差を防ぐために、Ｘ軸及びＹ軸についての基板の傾斜ψx及びψyが測定される。この目的のためには五つの測定軸を持つ干渉計システムを基板について用いることができる。五つのパラメータ、即ちＸ位置、Ｙ位置、Ｘ軸及びＹ軸についての傾斜ψx及びψy並びにＺ軸についての回転ψzを、これらの測定軸の信号を組合せて求めることができる。
これらの測定軸は図５ａに示されている。この線図においては、基板はＷで表され、マスクはＭＡで表され、基板ホルダーはＷＨで表されている。参照記号ＲＲ1及びＲＲ2は静止基準リフレクタを表わし、これらに対して基板リフレクタＲＷ１及びＲＷ2の位置及び方位が測定される。干渉計システムは二つのユニットを具える。その１はリフレクタＲＷ１と協働し、二つの測定軸を有し、その２はリフレクタＲＷ2と協働し、三つの測定軸を有する。基板のＸ位置は、第１干渉計ユニットを用いＸ測定軸に沿って測定される。このユニットは、ψyで表された第２測定軸を持ち、これはＸ方向に延びるが、第１測定軸についてのＺ方向のオフセットである。Ｙ軸についての傾斜ψyは、第１と第２のＸ測定軸から来る信号間の差から求めることができる。第２干渉計ユニットは、Ｙ1で表された第１Ｙ測定軸を持ち、これにより基板のＹ位置を求めることができる。Ｘ軸についての傾斜ψxは、この測定軸の信号と、ψxで表されたそれ及びＹ1軸についてＺ方向でのオフセットとの組合せから求められる。Ｚ軸についての基板の回転ψzは、Ｘ方向における測定軸Ｙ1及びＹ2相互についてのオフセットの信号の組合せから求めることができる。
マスクの位置及び方位を別個に求めるためには、即ち、Ｘ位置、Ｙ位置及びＺ軸についての回転を求めるための三つの測定軸を有する干渉計システムが必要である。差分を求めることにより、図５ｂに示すように、干渉計システム全体の測定軸の数を８から５に減らすことができる。Ｘ測定軸ｄxによって表されるように、基板に対するマスクの相対的な位置がここで測定される。更に、測定軸ｄy1及びｄy2で表される、基板に対するマスクの相対的なＹ位置、及び、マスクと基板との相互に対するＺ軸についての相対的な回転ψzが測定される。更に、基板のＹ軸についての傾斜及びＸ軸についての傾斜が測定されなければならず、これは、基板に対する第２Ｘ測定軸ψy及び第２Ｙ測定軸ψxにより実現される。差分測定軸ｄx、ｄy1及びｄy2については、図１−４に関して前述し且つ更に後に説明する干渉計システムを用いることができる。
基板に対するマスクの相対的位置のみが測定されるので、マスク及び基板をリソグラフ装置に導入する時に特別な処理を用いる必要がある。導入処理の遂行方法を図６を用いて説明する。
先ず、マスクテーブルＭＴ及び基板テーブルＷＴを例えばテサフィーラーの形の停止手段によって固定されるゼロ位置に置く。即ちリセットする。
干渉計をゼロにセットする。
続いて、走査サーボループによってマスクテーブルを投影レンズシステムの上に配置する。差分干渉計システムを介した結合により、基板テーブルがこの動作に追随する。
次に、位置合わせマークＭ1及びＭ2を持つマスクＭＡをマスクテーブルのホルダー中に置く。
続いて、マスクを保持し、基板がマスクテーブルのホルダー中に位置するように基板テーブルを移す。
次に、基板がマスク及び投影レンズシステムの下に位置するように、基板テーブルを再び移動させる。
続いて、装置中に存在する位置合わせシステムによりマスクに対して基板を位置合わせする。ここでは、マスクマークＭ1、Ｍ2と基板の同様の位置合わせマークとが相互に写像され、これらのマークが相互に対して正しい位置にあるか否かが決定される。この段階において、図６に示した状態が達成される。
従って同様に、Ｘ及びＹ干渉計によって固定された座標の二次元系に関する基板マークのＸ及びＹ位置を知ることができる。この座標系は、更に基板テーブルのステッピング動作の間、即ち、このテーブルが基板の一つのＩＣ領域（ダイ）にマスクパターンを写像した後、マスク及び投影レンズシステムの下に全ＩＣ領域を移動させるために遂行しなければならない動作の間にも用いられる。
基板及びマスクが相互について位置合わせされた後、基板テーブルは、所定のｄy1−ｄy2値即ちψz値を保持しながら、第１ステッピング動作を遂行し、これにより、第１ＩＣ領域をマスクの下に移す。
続いて、投影ビームが動作している間、投影レンズシステム及び投影ビームに関する倍率を考慮に入れたマスク及び基板の同期動作、即ちマスクを第１ＩＣ領域に写像する走査移動が遂行される。この写像動作が完了すると、投影ビームは停止され、基板テーブルは一ステップ移行し、基板の次のＩＣ領域がマスクの下に移動する。次に再び走査動作が行われ、第２ＩＣ領域にマスクパターンが写像される。このステップアンドスキャン処理は、マスクパターンの写像が基板の全てのＩＣ領域に形成されるまで続けられる。
相対的位置即ち図６におけるｄx、ｄy1及びｄy2は、図１−４に示された差分干渉計システムを用いて測定することができる。このような干渉計システムのより簡単な実施例が図７に示されている。このシステムは図２のシステムに似ているが、後方リフレクタ22がマスクホルダーの上又はマスクテーブルの上に配置された点及びλ／４板８及び後方リフレクタ19が存在しない点で差異がある。
図２の実施例と同様に、図７の実施例において入来する測定ビームｂmは、先ず位置Ｐ1で、次に位置Ｐ2で基板リフレクタＲＷ上に当たり、続いてリフレクタ15及び16を経てマスクに到達する。そこでは、後方リフレクタ22によって構成されるマスクリフレクタ上に位置Ｐ3及びＰ4で連続的に入射する。これらの位置で反射された測定ビームは、図２の場合と同様に、基板リフレクタＲＷの位置Ｐ5及びＰ6に連続的に入射し、最後に測定ビームｂ'mとしてこのシステムから反射される。参照ビームｂrは図２と同一の経路を通る。
前述の干渉計システムは、直列に配置された二つの干渉計ユニットを具えている。図１、２及び７に示されたシステムにおいては、一つの干渉計ユニットにおいては基板リフレクタＲＷまでの間が８回横切られ、他のユニットにおいてはマスクリフレクタまでの間が２回横切られる。この結果、基板位置の測定はマスク位置の測定の４倍の感度があることになる。基板干渉計とマスク干渉計との間は測定ビーム及び参照ビームが同一の経路を通るので、測定は例えば空気の動揺及び他の不規則性に影響されない。原理的に、干渉計ユニットの正しい組合せを選択することにより、投影レンズシステムの倍率に関する多数のセンサー機能を実現することができる。
倍率Ｍを有するリソグラフ装置において、マスク及び基板がＸ方向の走査の間に所望の同期動作を示す場合の条件は
ＸM＋（１／Ｍ）ＸW＝  一定                            （１）
が満足されることである。ここで、ＸM及びＸWはそれぞれマスク及び基板のＸ位置である。次に測定ビームｂmについての光学的経路の長さが一定に保たれ、測定ビームｂ'mに対する検出器は周波数変動を全く検出しない。これは、測定周波数が常に測定ビームを供給する放射線源の周波数に等しいこと、例えば干渉計の放射線源としてしばしば用いられるゼーマンレーザーを用いる場合にはゼーマン周波数に等しいことを意味する。従って、走査の間、測定周波数はマスク及び基板の速度に無関係である。実際に、以前は、二つの別個の干渉計が用いられる時には電子的に加算されていたが、マスク及び基板のＸ位置はここでは光学的に加算される。従って、検出器信号処理エレクトロニクスにおける遅延時間差に基づく問題、及び別個の干渉計が用いられる場合に起きる問題を回避することができる。
条件（１）における＋符号は、測定ビームが基板リフレクタＲＷ及びマスクリフレクタＲＭに一定値で入射する図１−４及び７の実施例に適用される。測定ビームが基板リフレクタ及びマスクリフレクタのうち一つのリフレクタ位置のみを測定する場合、及びこれらのリフレクタのうちの他の一つの位置を参照ビームが測定する場合は、条件（１）の＋符号は−符号で置き換えなければならない。
マスクホルダーの上に後方リフレクタを有する図７に示された実施例は、このホルダーの傾斜に無関係である。しかしながら、この実施例においては、測定の間、測定方向に直交する方向に移動することができない。この直交方向は、ＩＣ領域上にマスクパターンの写像を形成するために例えばＸ方向への二つの対向する移動が必要であり、その移動の間にマスク及び基板をＹ方向に移動させなければならない場合に必要になる。マスクリフレクタが平面のリフレクタである図１−４に示された実施例においては、マスクが測定方向に直角に移動することができる。
実際には基板が小さい範囲で楔形を持つことがあり、また、これらの基板が基板ホルダーに裏返しに載っていることがあるので、基板ホルダーをＸ及び／又はＹ軸について傾けることが必要になる場合がある。しかしながら、干渉計測定はアッベ誤差によって影響される。これらの誤差を補償するためこの（これらの）傾斜を測定できることが必要である。欧州特許出願第0 498 499号に記載されているように、五つの測定軸を持つように構成された干渉計システムは、これらの傾斜を測定する機能を具えている。リソグラフ投影装置に差分干渉計システムが用いられる場合、これらの傾斜を測定するために別個の干渉計を用いることも容易である。このような干渉計は、基板ホルダーの傾斜に対して感応性を持つが、位置には感応しないようにしなければならない。
図８は、Ｙ軸について基板の傾斜を測定するためのこのような干渉計の第１実施例を示す。この干渉計は、その周囲にλ／４板24、25及び26を有する偏光感応性ビームスプリッタ23を具える。更に、この干渉計は後方リフレクタ29及び反射プリズム28及び27を具える。左側から入射した測定ビームｂmは、基板リフレクタＲＷに位置Ａ1で入射し、続いてビームスプリッタの界面23aでプリズム27の方向に反射する。このプリズムは測定ビームｂmをその傾斜面で反射させて後方リフレクタ29に送り、これはこのビームを再び界面23aの方向に反射する。この界面は今度は測定ビームをプリズム28へ反射する。このプリズムの傾斜面は続いて測定ビームを界面23aに反射し、これは測定ビームを再び後方リフレクタ29の方向に反射する。このリフレクタは測定ビームをプリズム27に送り返し、これがこのビームを界面23aに向けて反射する。この界面は今度は測定ビームを基板リフレクタＲＷの方向に反射し、ここで測定ビームは位置Ａ2で入射する。測定ビームはこの位置で反射し、界面23aを通って検出器（図示されていない）に到達することができる。
参照ビームｂrは、先ず界面23aで後方リフレクタ29の方向に反射し、続いてこの後方リフレクタ29でプリズム27へ、次にこのプリズムで界面へ、次いでこの界面で基板リフレクタ上の位置Ａ3に向かう。参照ビームはこの位置で反射し、再びプリズム28から基板リフレクタＲＷに向かい、位置Ａ4で入射する。この位置で反射した参照ビームは、界面23aでプリズム27へ反射し、続いてこのプリズムで後方リフレクタ29の方向に反射し、次にこのリフレクタで再び界面に反射する。最後に界面は参照ビームｂ'rを検出器の方向に反射する。
図８の干渉計においては、測定ビームｂm及び参照ビームｂr共に、基板リフレクタＲＷのＸ位置を測定する。しかしながら、この測定は二つの異なる位置、即ちＡ1,Ａ3及びＡ2,Ａ4で行われる。その結果、干渉計は、その干渉計の静止要素に対するこれら二つの位置のＸ距離の差に感応するだけであり、このリフレクタのＸ距離には感応しない。
図９は、Ｙ軸について基板リフレクタＲＷの傾斜ψyを測定するための干渉計の第２実施例を示す。この実施例は、反射プリズム27が平面リフレクタＭ2で置き換えられている点で図８のそれと異なる。このリフレクタは、入射した測定ビームｂm及び参照ビームｂrをその中で垂直に反射する。図９において測定ビーム及び参照ビームが基板リフレクタＲＷ、リフレクタＭ2、後方リフレクタ29及びプリズム28と接触するシーケンスは、図８においてこれらのビームが基板リフレクタ、プリズム27、後方リフレクタ29及びプリズム28と接触するそれと同一である。
リソグラフ投影装置で用いるための差分干渉計システムは、マスクと基板との相互位置の測定の影響から装置において起こり得る不安定性を防ぐための測定を取り入れることによって、更に改良することができる。このためには、以後短縮して投影レンズと称する、投影レンズシステムの位置及び傾斜の影響を除去しなければならない。
この投影レンズについて、このレンズによって形成される写像の位置を変えずにこのレンズを一つの点の周りに傾斜させることができる、その点を示すことができる。これは図１０の点Ｃである。この図においては、ｖ及びｂはそれぞれ物体長さ及び写像長さであり、ＯＰ及びＩＰはそれぞれ物体平面及び写像平面である。点Ｃはレンズの二つのノードの間にある。レンズの両側の媒体が同一で例えば空気である場合は、ノードは投影レンズの主点Ａ及びＢと一致している。Ｈ及びＨ’はこのレンズの主面を表す。レンズは次の条件を満足する。
（ＢＮ’／ＡＮ）＝（ｂ／ｖ）＝Ｍ                        （２）
また、
ＢＣ＝（Ｍ／（Ｍ＋１））・ＡＢ                          （３）
である。なぜならば、
ｖ＝（ｆ／Ｍ）＋ｆ                                      （４）
であり、且つ
ｆ＝ｆ・（Ｍ＋ｆ）                                      （５）
であるからである。主面間の距離については、
ＡＢ＝Ｌ−２・ｆ−Ｍ・ｆ−（ｆ／Ｍ）                    （６）
であり、且つ
ＯＣ＝（Ｍ／（Ｍ＋１））・Ｌ                            （７）
である。
これは、点Ｃの位置は、焦点距離及び主面の位置のような全ての種類のレンズパラメータと無関係であるが、倍率及び物体平面と写像平面との間の距離のみによって影響されることを示す。これは、点Ｃの位置は実質的に全ての投影レンズについて同一であることを意味する。
ステッピングリソグラフ投影装置で現在使用されている投影レンズは、例えば倍率Ｍ＝０．２、物体−写像長さＬ＝６００mm、ＯＣ＝１００mmである。
ステップアンドスキャン装置において可能な投影レンズは、例えば、倍率Ｍ＝０．２５、及び物体−写像長さＬ＝６００mmである。このようなレンズについてはＯＣ＝１２０mmである。
投影レンズによって形成される写像の位置に対する影響を補正できるようにするために、このレンズの位置を測定する必要がある場合は、この点Ｃのロケーションで投影レンズ位置の測定を行うことが望ましい。実際に、この測定は投影レンズの傾斜には影響されない。
図１１を参照すると、投影レンズの例えばＸ方向の水平移動ｄＣの結果を示すことができる。この図はマスクホルダーＭＨ、投影レンズＰＬ及び基板ホルダーＷＨを示す。これらの部品のＸ位置は、それぞれＸＭ、ＸＬ及びＸＷで表されている。INT1、INT2及びINT3は、基板、マスク及び投影レンズの位置を測定するために用いることができる干渉計である。レンズの移動ｄＣと対象物即ちマスクの仮想的移動ｄＶとの間の関係について、
ｄＶ／ｄＣ＝Ｌ／ＯＣ＝（Ｍ＋１）／Ｍ                      （８）
が保持され、基板上におけるマスクパターンの写像の移動ｄＢは
ｄＢ＝Ｍ・ｄＶ＝（Ｍ＋１）・ｄＣ                          （９）
である。
例えば倍率Ｍ＝０．２５とすれば、式（８）から
ｄＶ＝５ｄＣ                                              （10）
である。
これは、投影レンズの位置は、マスクの位置に比べて５倍大きな感度で測定することができることを意味する。マスクが基板に対して良好に位置決めされているときにレンズ位置の影響を除去するために、例えば次の条件
ＸＭ＋４ＸＷ−５ＸＬ＝  一定                              （11）
又は、更に一般的に
ＸＭ＋（１／Ｍ）（ＸＷ−（Ｍ＋１）ＸＬ）＝  一定          （12）
が満足されなければならない。
このレンズ位置に対する５倍大きい測定感度は、基板測定の感度とマスク測定のそれとを加えて得られる。これは、干渉計INT1及びINT2が直列に配置されなければならないことを意味する。
この場合の干渉計システムが図１２に線図的に示されている。この図においては、前述及び後述の図と同様に、測定ビームｂmは実線で表され、且つ参照ビームｂrは破線で表されている。式（11）及び（12）における−符号は、参照ビームｂrが投影レンズ位置ＸＬの測定に用いられる場合に適用される。このため、図１２に示されたシステムは追加のリフレクタＭ5を具える。測定ビームｂmはマスクと基板との相互位置を測定するために用いられる。図１２のシステムにおいては、マスクの位置ＸＭが２回測定され、基板のそれＸＷが８回測定され、投影レンズのそれＸＬが１０回測定される。測定ビームと参照ビームとの経路は部分的に異なるため、放射線の経路で空気の動揺その他の不規則性は起こり得ないことが保証されなければならない。
空気の動揺その他に感応しない干渉計システムが図１３に線図的に示されている。このシステムにおいては、投影レンズ位置の測定は、異なる高さでのレンズ位置の二つの測定に分けられる。第１レンズ位置測定はマスクの近くで行われ、この測定はマスク位置の感応性を有する。第２レンズ位置測定は基板の近くで行われ、この測定は基板位置の感応性を有する。ここでの条件は、それぞれの測定位置ＸL2及びＸL1と点Ｃとの間の距離が、その投影レンズの倍率Ｍに等しい比であることである。写像走査移動の間におけるマスク及び基板の同期動作のため、ここで、投影レンズの倍率Ｍが０．２５の場合は次の条件が満足されなければならない。
ＸＭ＋４ＸＷ−４ＸL1−ＸL2＝  一定                        （13）
この条件により、マスク位置が測定される点及びレンズ位置が測定される更に上の点は相互に結び付けられる。基板位置が測定される点及びレンズ位置が測定される更に低い点にも同様の条件が適用される。
図１３の干渉計システムの利点は次のとおりである。
・投影レンズの移動及び傾斜の両者を補償する。
・測定がINT1とINT2との間の放射線経路中の不規則性に感応しない。
・INT1及びINT2の位置は重要ではなく、従ってこの測定は装置の振動及び不安定性に対して感応しない。INT1及びINT2の傾斜のみが影響を与え得る。この影響を除去するために、５ΔがＬに等しいことが望ましい。
基板とマスクとの相互位置、即ちｄＸ、ｄＹ1及びｄＹ2を正確に測定するための重要な条件は、これらの測定がＺ軸についての回転並びにＸ軸及びＹ軸についての傾斜によって影響されないことである。基板及びマスクの相対的位置に課されるべき他の要求が存在しないためには、差分干渉計自体がこの回転及び傾斜に対して不感応性であることが望ましい。マスクホルダーがＸ方向のみに移動し他の方向については空気ベアリングによって固定されている場合は、基板ホルダーの回転ψzは最も重要である。
図１４はＺ軸についての基板の回転ψzの影響を説明する図である。この図は図２の下方の部分の要素を示している。図２に関して説明したように、測定ビームｂmは、先ず基板リフレクタＲＷの位置Ｐ1及びＰ2で２回反射し、続いてマスクリフレクタＲＭに到達し、そこで反射し、基板リフレクタに戻り、位置Ｐ3及びＰ4で連続的に反射し、ビームｂ'mとして検出器（図示されていない）に到達する。これは、測定ビームが基板リフレクタに垂直に入射する場合、従って、ψz＝０の場合である。この測定ビームはｂmで表される。ψzが０に等しくない場合には、測定ビームは破線で表示される経路を通る。この測定ビームは最初は同様に位置Ｐ1で反射するが、もはや垂直ではない。この測定ビームはｂm,aで表される。ビームスプリッタ１の界面９及び後方リフレクタ19の点100-103での反射を経て、ビームｂm,aは基板リフレクタの位置Ｐ2'に到達する。ここで反射したビームｂm,aは、再びビームｂmに、従ってまた参照ビーム（図１４には示されていない）に平行であるが、距離δだけオフセットを生じる。マスクリフレクタとの間のこの往復の間、測定ビームｂm,aと参照ビームとの間に他のオフセットは存在しない。図２から分かるように、マスクリフレクタからの測定ビームｂm,aと参照ビームとの間のオフセットは、マスクリフレクタに向かう測定ビームｂm,aと参照ビームとの間のオフセットに関して点反射になっている。マスクリフレクタからの測定ビームｂm,aは、先ず、基板リフレクタの位置Ｐ5'に入射する。ここで反射した測定ビームは、次に点105-108での反射を経て位置Ｐ6'に到達し、この位置でビームｂ'm,aとして検出器の方向に反射する。測定ビームｂm,aが基板干渉計を通る第２の経路においては、測定ビームと参照ビームとの間のオフセットが２倍である。この２倍大きい感度により、差分干渉計もまた基板の回転に対して２倍の感度を有する。
測定ビームと参照ビームとの間のオフセット２δにより、測定ビームと参照ビームとのオーバーラップは検出器のロケーションで小さくなり、これにより、基板リフレクタとマスクリフレクタとの相互位置を表す信号が小さくなる。ビームが例えば直径５mmの標準的な干渉計を用いる場合、これは例えば基板リフレクタが最大でプラス又はマイナス２ミリラッド傾斜していてもよいことを意味する。ビームの直径を増すことによって、このマージンを増すことができる。しかしながら、このためには、追加のビーム拡大光学システムが必要である。しかし、光学部品上のビームの周囲をぼかさないようにするために光学部品を増やさなければならないことは、かなり重要な欠点である。これらの部品は極めて良質の光学的品質を持たねばならないので、極めて高価なものになる。ここで説明するように、リフレクタの回転又は傾斜、又は差分干渉計の角度感度を測定することの有害な影響は、本発明の他の観点に基づいて除去することができる。
このためには図１５及び１６に示すようなマスク干渉計の鏡映が適している。図１５はマスク干渉計を示しており、ここでは、図１３の実施例で用いられる、マスクリフレクタＲＭ及び投影レンズリフレクタＲＬの近くに配置された差分干渉計の部分を示す。このマスク干渉計は、界面10を持つ偏光感応性ビームスプリッタ５、二つの反射プリズム111及び112並びに二つのλ／４板113及び114を具える。マスクリフレクタに向かう測定ビームｂm及びレンズリフレクタＲＬ2に向かう参照ビームｂrは、それぞれ実線及び破線で表されている。この図及び以後の図において、測定ビームに直角の矢印及び参照ビームに直角の破線は、これらのビームが、干渉計を通るそれらの経路上で鏡映される様子を示す。図１５において、測定ビームｂmは５回反射し、参照ビームは３回反射する。これは、それらが相互に同一の方位を維持し、入来ビーム間のあり得るオフセットが維持され、鏡映されないことを意味する。
前述のように、マスク干渉計から入来する測定ビームｂm及び参照ビームｂrは基板干渉計を２回通る。基板干渉計の第１回の通過の際には測定ビームと参照ビームとの間に第１オフセットが生じ、基板干渉計を通る第２回の通過の際には同様の第２オフセットが生じる。マスク干渉計を通る経路上の第１オフセットは変わらないので、前記第２オフセットは前記第１オフセットを相殺する。
差分干渉計の回転及び傾斜の感応性の問題に対する解は、マスク干渉計中の反射の数を奇数にすることにあり、基板干渉計とマスク干渉計との間に特別なリフレクタユニットを配置することによって実現することができる。このリフレクタユニットの実施例は図１６に示されている。このユニットは、例えば図２のリフレクタ16の位置に配置され、プリズム37及びペンタプリズム40からなる。入来測定ビームｂmはプリズム37を通り、ペンタプリズムの面38及び39で連続的に反射し、続いてマスクリフレクタの方向にプリズム37を通過する。
図１７は、図１３の原理に基づいてこの反射ユニットが協働する差分干渉計システムの実施例を示す。この図は、偏光感応性ビームスプリッタ１、後方リフレクタ４及びλ／４板２を有する第１又は基板干渉計ユニット、及び、同様に偏光感応性ビームスプリッタ５、後方リフレクタ19、λ／４板８及びリフレクタＭＩを有する第２又はマスク干渉計ユニットを示す。更に、図１７のシステムは、スプリッティングミラー30及びカップリングアウトプリズム32を具える。マスクパターンがそれによって基板上に写像される投影装置の投影レンズＰＬが、マスクホルダーＭＨと基板ホルダーＷＨとの間に配置される。投影レンズは、それぞれ第２及び第１干渉計ユニットのための参照リフレクタを構成する、二つの追加のリフレクタＲＬ1及びＲＬ2を具える。リフレクタ33、λ／４板34及びリフレクタ35がレンズリフレクタＲＬ1の近くに配置され、リフレクタ31がレンズリフレクタＲＬ2の近くに配置される。前述の図面と同様に、図１７においては、測定ビームは実線で表され、参照ビームは破線で表されている。これらの線の中の矢印は経路を示すものであり、基板リフレクタＲＷ上での二つの最初の反射、マスクリフレクタＲＭ上の反射及びリフレクタＭＩ上の反射を経てシステムを通る測定ビームの経路、及び、レンズリフレクタＲＬ2上での二つの最初の反射、レンズリフレクタＲＬ1上での反射及びリフレクタ35上での反射を経て、及びレンズリフレクタＲＬ2上での他の二つの反射を経てシステムを通る参照ビームの経路を示す。
リフレクタユニットは界面41を有するペンタプリズム40を具え、プリズム37がマスク干渉計の近くに配置される。図１８は、測定ビームが基板干渉計から入来する様子及び参照ビームがリフレクタユニット及び第２マスク干渉計からなるサブシステムを通る様子を示す。このサブシステムは他のリフレクタ45及び１／４波長板46を具える。ビーム中の矢印は、サブシステムを通り、位置ｑ1−ｑ9で連続的に反射する測定ビームの経路を示す。
Ｚ軸についての基板の回転に対する差分干渉計システムの感応性は前述した。この感応性を除去するための上述の方法は、勿論、Ｘ及び／又はＹ軸についての基板又はマスクの傾斜に対する差分干渉計システムのあり得る感応性を除去するためにも用いることができる。
図１９は、基板リフレクタの回転又は傾斜が補償される倍率Ｍ＝１／４を持つ投影装置のための差分干渉計システムの他の実施例を示す。基板干渉計ユニットは、偏光感応性ビームスプリッタ１及びλ／４板２、並びに他のλ／４板50、参照ビームのためのリフレクタ52及び後方リフレクタ51を具える。破線はやはり参照ビームの経路を示し、この経路は測定ビームの経路と一致しない部分を示す。測定ビームは先ず基板リフレクタＲＷによって位置ｒ1及びｒ2で２回反射し、参照ビームは先ず参照リフレクタ52で２回反射する。続いて、これらのビームはマスク干渉計ユニット60及びマスクリフレクタＲＭに向かう。図２０にはマスク干渉計ユニット60が拡大して示されている。このユニットは偏光感応性ビームスプリッタ５及びλ／４板８、並びに他のλ／４板53、参照ビームのためのリフレクタ57及び三つの後方リフレクタ54、55及び56を具える。測定ビームｂm及び参照ビームｂr中の矢印は、このユニットを通るこれらのビームの経路を示す。測定ビームは位置ｒ3−ｒ9で連続的に反射し、基板干渉計ユニット及び基板リフレクタに戻り、そこで再び位置ｒ10及びr11で２回反射し、その後検出器に到達する。
図２１は、マスク干渉計及びリフレクタユニットを具えるサブシステムの他の実施例を示す。このユニットは、反射面61を持つ第１プリズム60並びに反射面66及び67を持つ第２プリズム65を具える。このリフレクタユニットを用いることにより、測定ビーム及び参照ビームがサブシステムを通る際に反転しないように、即ち、これらのビームの左側部分及び右側部分が入れ代わらないようにすることができる。これはビームに対して直角の矢印によって表される。実線で示された測定ビームは位置ｓ1−ｓ7で連続的に、特にマスクリフレクタＲＭで１回、リフレクタＭＩで１回反射する。同様に、破線で示された参照ビームは７回、特にリフレクタ45で２回反射する。
図２２は、図２１に示されたものと同様であるが、プリズム60及び65が反射面71、72及び73を持つ台形プリズム70で置き換えられている実施例を示す。同様にこの実施例では測定ビームが位置ｔ1−ｔ7で７回反射し、参照ビームも同様である。この実施例においては、ａをビームスプリッタ５の高さとしたとき、ビームはａ／４の幅を持つに過ぎない。これに対して、図２１の実施例でのビーム幅はａ／２である。
図２３は、測定ビームｂmがマスク干渉計サブシステムを通る経路上で奇数回反射することにより、基板リフレクタＲＷの回転が補償される差分干渉計システムの他の実施例を示す。この図は更に、例えばＨｅＮｅゼーマンレーザーである必要な放射線源80、並びにビーム拡大光学系を構成する二つのレンズ82及び83を示す。この基板干渉計は、図１のそれと同一の構成を有する。マスク干渉計は、図１のリフレクタＭＩに代えて後方リフレクタ87がλ／４板８とマスクリフレクタＲＭとの間に配置されている点で、図１に示されたものと異なる。更に、参照ビームの経路にはλ／４板46が配置され、後方リフレクタ７の上に追加のリフレクタ88が配置される。基板リフレクタ上の位置Ｐ2から入来する測定ビームｂmは、ビームスプリッタ５の界面10で後方リフレクタ87の方向に反射する。このリフレクタの傾斜面で反射した後、測定ビームは後方リフレクタ６に達する。続いてこのリフレクタは、測定ビームをマスクリフレクタＲＭに送る。このリフレクタの位置Ｐ4で反射した測定ビームは、界面10で基板干渉計の方向に反射する。基板リフレクタの位置Ｐ5及びＰ6で連続的に反射した後、測定ビームｂ'mはリフレクタ86及び85を経て検出器90に送られる。基板干渉計から入来した参照ビームｂrは、界面10を通過して後方リフレクタ７に達し、そこで反射して再び界面10に向かう。次に参照ビームはこの界面で反射し、後方リフレクタ６に向かい、そこで参照ビームは反射して再び界面10に向かう。続いて、参照ビームはこの界面でリフレクタ88の方向に反射する。リフレクタ88で反射した参照ビームは、次に界面10を通過して基板干渉計に向かう。
図２４は、図２３に示された実施例の代替例であり、マスク干渉計の後方リフレクタ７及び87がペンタプリズムユニット92及びリフレクタＭＩによって置き換えられている。基板干渉計から入来する測定ビームｂmは、界面10で反射してリフレクタＭＩに向かい、測定ビームはそこで反射してユニット92に向かう。測定ビームはこのユニットで反射し、マスクリフレクタＲＭ上の位置Ｐ4に向かう。位置Ｐ4からの測定ビームは、界面10で基板干渉計の方向に反射する。基板干渉計から入来した参照ビームｂrは、界面10を通過してリフレクタ88に向かい、そこで反射して再び界面に向かう。参照ビームは、次にこの界面で反射してユニット92に向かい、このユニットは参照ビームを再び界面に送る。続いてビームはこの界面で反射してリフレクタ88に向かい、ここで反射して界面10を経て基板干渉計に向かう。
図２５は、マスク干渉計中での奇数回の反射による前述の補償の効果を説明する図である。この図は、干渉計信号中のコントラスト（con）を基板リフレクタの回転（mrad単位の回転）の関数として示す。曲線95は補償なしの場合を示し、曲線96は前述の補償を適用する場合を示す。
基板リフレクタの傾斜又は回転に対する前述の補償は、差分干渉計システムに用いられるばかりでなく、単一システム、即ちただ一つの干渉計ユニットを有する干渉計システムにおいても用いることができる。このようなシステムは、例えば基板ホルダーの位置及び移動のみが干渉計システムで測定される、ステッピングリソグラフ投影装置で用いられる。図２６ａ、２６ｂ及び２６ｃはそのような干渉計システムの実施例の種々の断面図を示す。
図２６ｂに示すように、入来する測定ビームは、先ずビームスプリッタ１の界面９上のｕ1での反射を経て基板リフレクタＲＷに向かい、そこの位置ｕ2で反射する。続いて、測定ビームは、後方リフレクタ４の位置ｕ3及びｕ4で反射してビームスプリッタ１を横切り、続いてもう一度基板リフレクタの位置ｕ5で反射し、その後界面９で反射してビームスプリッタから出る。参照ビームは、位置ｕ7、ｕ3、ｕ4、ｕ6及びｕ8で連続的に反射する。従って特にλ／４板131を介して参照リフレクタ130で２回反射する。ビームスプリッタ１から来る測定ビーム及び参照ビームは、図２６ａに示すように、続いてプリズム105及び120の面106、107及び121のそれぞれ点ｕ9、ｕ10及びｕ11で反射し、その後、これらのビームは再びビームスプリッタ１に入る。図２６ｃに示すように、測定ビームは続いて基板リフレクタの位置ｕ12及びｕ13で反射する。ビームスプリッタからの測定ビーム及び参照ビームは、このように３回反射した後、ビームスプリッタに再び入る。
前述の説明においては、マスク及び基板の位置は走査方向即ちＸ方向の一方向のみ測定できると仮定した。欧州特許出願第0 498 499号に記載されているように、ステッピングリソグラフ投影装置は、Ｘ位置のみではなくＹ位置、光学軸即ちＺ軸についての基板の回転、並びにＸ及びＹ軸についての基板の傾斜を測定するために、五つの測定軸を持つ基板干渉計システムを用いることができる。例えば、その一つは三つの測定軸を持ち、他は二つの測定軸を持つ、二つの干渉計ユニットを用いる。同様に、差分干渉計システムを五つの測定軸に拡張することができる。このシステムは、従って、例えば基板のロケーション及びマスクのロケーションの両者に五つの測定軸を有し、例えばこれらの軸に沿って差分測定を行う。
ステップアンドスキャンリソグラフ投影装置に上述の差分干渉計システムを用いると、以下の利点が得られる。
・干渉計測定が装置の不安定性に感応しない。
・これらの測定が投影レンズシステムの位置の不安定性に感応しない。
・測定が、空気の動揺のような、マスク干渉計と基板干渉計との間の擾乱に感応しない。
・マスクパターンの走査−写像の間に電子的な遅延時間の問題が起きない。
・測定が基板ホルダーの回転又は傾斜に感応しない。
・装置の解像力が向上する。
・必要な干渉計の数が減少する。
本発明について、集積回路を製造するために基板上にマスクパターンのステップアンドスキャン写像を行う装置に利用する態様に関して説明した。しかしながら、これに代えて、例えば、集積化光学システム、平面光学システム、磁気ドメインメモリーのための案内及び検出パターン、又は液晶画像表示パネルを製造する装置に用いることができる。投影装置は、投影ビームが遠紫外線のような電磁波のビームであり且つ投影システムが光学投影レンズシステムである光学的リソグラフ装置ばかりでなく、投影放射線が電子線、イオン放射線又はＸ線のような荷電粒子線であり且つこれに結合する投影システムが例えば電子レンズシステムである装置にも、同様に用いられる。
【図１】
0004075966.tif 000002
【図２】
0004075966.tif 000003
【図３】
0004075966.tif 000004
【図４】
0004075966.tif 000005
【図５ａ】
0004075966.tif 000006
【図５ｂ】
0004075966.tif 000007
【図６】
0004075966.tif 000008
【図７】
0004075966.tif 000009
【図８】
0004075966.tif 000010
【図９】
0004075966.tif 000011
【図１０】
0004075966.tif 000012
【図１１】
0004075966.tif 000013
【図１２】
0004075966.tif 000014
【図１３】
0004075966.tif 000015
【図１４】
0004075966.tif 000016
【図１５】
0004075966.tif 000017
【図１６】
0004075966.tif 000018
【図１７】
0004075966.tif 000019
【図１８】
0004075966.tif 000020
【図２０】
0004075966.tif 000021
【図１９】
0004075966.tif 000022
【図２１】
0004075966.tif 000023
【図２２】
0004075966.tif 000024
【図２３】
0004075966.tif 000025
【図２４】
0004075966.tif 000026
【図２５】
0004075966.tif 000027
【図２６ａ】
0004075966.tif 000028
【図２６ｂ】
0004075966.tif 000029
【図２６ｃ】
0004075966.tif 000030